(57)【要約】【課題】フラットケーブルを効率よく配置できる画像形成装置を提供する。【解決手段】  画像形成装置１は、ドロワフレーム４０と、露光ヘッド１３Ｙと、フラットケーブル４２Ｙとを備えるドロワユニット４を備える。ドロワユニット４は、ドロワフレーム４０から突出する突出部４７を備える。フラットケーブル４２Ｙは、露光ヘッド１３Ｙに電気的に接続される。フラットケーブル４２Ｙは、突出部４７に支持され、突出部４７に沿って延びる。【選択図】図６
2019101178.tif 000002
【特許請求の範囲】
【請求項１】
本体筐体と、
前記本体筐体の内にある内部位置と前記本体筐体の外にある外部位置との間を移動方向に移動可能なドロワユニットであって、
ドロワフレームと、
前記ドロワフレームに支持される露光ヘッドと、
前記露光ヘッドに電気的に接続されるフラットケーブルと、
前記ドロワフレームから前記移動方向と交差する第１方向に突出する突出部であって、前記第１方向において前記フラットケーブルの幅よりも広い幅を有し、前記移動方向に延びる突出部と、
を備えるドロワユニットと、
を備え、
前記フラットケーブルは、前記突出部に支持され、前記移動方向において前記突出部に沿って延びることを特徴とする、画像形成装置。
【請求項２】
前記突出部に取り付けられるカバーであって、前記フラットケーブルを覆うカバーを、さらに備えることを特徴とする、請求項１に記載の画像形成装置。
【請求項３】
前記カバーは、金属製であることを特徴とする、請求項２に記載の画像形成装置。
【請求項４】
前記突出部は、前記突出部に対する前記フラットケーブルの配置を案内するためのガイドを有することを特徴とする、請求項１から請求項３のいずれか一項に記載の画像形成装置。
【請求項５】
前記ドロワフレームは、前記フラットケーブルが通るスリットを有し、
前記突出部は、前記スリットの下方に位置し、
前記フラットケーブルは、前記突出部の上面に沿って延びることを特徴とする、請求項１から請求項４のいずれか一項に記載の画像形成装置。
【請求項６】
前記ドロワフレームは、前記フラットケーブルが通るスリットとを有し、
前記突出部は、前記スリットの上方に位置し、
前記フラットケーブルは、前記突出部の下面に沿って延びることを特徴とする、請求項１から請求項４のいずれか一項に記載の画像形成装置。
【請求項７】
駆動力を受けることができるドラムカップリングを有する感光ドラムを備え、前記ドロワユニットに装着可能なドラムカートリッジと、
前記感光ドラムに供給される現像剤を収容可能な現像カートリッジであって、前記ドロワユニットに装着可能な現像カートリッジであり、駆動力を受けることができる現像カップリングを備える現像カートリッジを、さらに備え、
前記突出部は、前記現像カートリッジが前記ドロワユニットに装着された状態で、上下方向において、前記現像カップリングと前記スリットとの間に位置することを特徴とする、請求項６に記載の画像形成装置。
【請求項８】
前記突出部は、前記ドロワユニットが前記内部位置と前記外部位置との間を移動するときに、前記本体筐体の一部に接触することにより、前記ドロワユニットの移動を案内することを特徴とする、請求項１から請求項７のいずれか一項に記載の画像形成装置。
【請求項９】
前記フラットケーブルは、前記第１方向において、前記突出部のうちの前記本体筐体の一部に接触する部分と、前記ドロワフレームとの間に位置することを特徴とする、請求項８に記載の画像形成装置。
【発明の詳細な説明】
【技術分野】
【０００１】
本発明は、画像形成装置に関する。
【背景技術】
【０００２】
従来、ドロワユニットを備える画像形成装置が知られている。ドロワユニットは、本体筐体の内にある内部位置と、本体筐体の外にある外部位置との間を移動可能である。ドロワユニットは、ドロワフレームと、露光ヘッドと、フラットケーブルとを備える（下記特許文献１参照）。
【先行技術文献】
【特許文献】
【０００３】
【特許文献１】特開２０１２−１４４０１９号公報
【発明の概要】
【発明が解決しようとする課題】
【０００４】
上記した特許文献１に開示されるような画像形成装置において、フラットケーブルを効率よく配置することが望まれる。
【０００５】
そこで、本開示の目的は、フラットケーブルを効率よく配置できる画像形成装置を提供することにある。
【課題を解決するための手段】
【０００６】
本発明の画像形成装置は、本体筐体と、ドロワユニットとを備える。
【０００７】
ドロワユニットは、本体筐体の内にある内部位置と、本体筐体の外にある外部位置との間を移動方向に移動可能である。ドロワユニットは、ドロワフレームと、露光ヘッドと、フラットケーブルと、突出部とを備える。露光ヘッドは、ドロワフレームに支持される。フラットケーブルは、露光ヘッドに電気的に接続される。突出部は、ドロワフレームから移動方向と交差する第１方向に突出する。突出部は、第１方向においてフラットケーブルの幅よりも広い幅を有し、移動方向に延びる。
【０００８】
フラットケーブルは、突出部に支持され、移動方向において突出部に沿って延びる。
【０００９】
このような構成によれば、突出部を利用して、フラットケーブルを効率よく配置できる。
【発明の効果】
【００１０】
本発明の画像形成装置によれば、フラットケーブルを効率よく配置できる。
【図面の簡単な説明】
【００１１】
【図１】図１は、画像形成装置の概略構成図である。
【図２】図２は、図１に示すドロワユニットが外部位置に位置した状態を示す。
【図３】図３は、ドロワユニットの斜視図である。
【図４】図４は、図３に示すサイドフレームの側面図である。
【図５】図５Ａは、ドラムカートリッジの斜視図である。図５Ｂは、現像カートリッジの斜視図である。
【図６】図６は、図３に示すカバーの分解斜視図である。
【図７】図７は、図３に示すドロワユニットの斜視図であって、カバーを外した状態を示す。
【図８】図８Ａは、第１変形例を説明するための説明図である。図８Ｂは、第２変形例を説明するための説明図である。
【発明を実施するための形態】
【００１２】
１．画像形成装置
図１および図２を参照して、画像形成装置１について説明する。
【００１３】
図１に示すように、画像形成装置１は、本体筐体２と、給紙部３と、ドロワユニット４と、複数のドラムカートリッジ５Ｙ、５Ｍ、５Ｃ、５Ｋと、複数の現像カートリッジ６Ｙ、６Ｍ、６Ｃ、６Ｋと、転写ユニット７と、定着器８とを備える。
【００１４】
１．１  本体筐体
本体筐体２は、画像形成装置１の外装を構成する。本体筐体２は、給紙部３と、ドロワユニット４と、複数のドラムカートリッジ５Ｙ、５Ｍ、５Ｃ、５Ｋと、複数の現像カートリッジ６Ｙ、６Ｍ、６Ｃ、６Ｋと、転写ユニット７と、定着器８を収容する。本体筐体２は、開口２Ａを有する。開口２Ａは、ドロワユニット４が内部位置に位置する状態で、ドロワユニット４に対して、定着器８の反対側に位置する。内部位置については、後で説明する。また、本体筐体２は、カバー２Ｂを備える。カバー２Ｂは、開口２Ａを閉鎖する閉位置（図１参照）と、開口２Ａを開放する開位置（図２参照）との間を移動可能である。
【００１５】
１．２  給紙部
給紙部３は、感光ドラム１４Ｙに向かってシートＳを供給するように構成される。シートＳは、例えば、印刷用紙である。感光ドラム１４Ｙについては、後で説明する。給紙部３は、給紙トレイ９と、ピックアップローラ１０と、給紙ローラ１１とを備える。給紙トレイ９は、シートＳを収容するように構成される。ピックアップローラ１０は、給紙トレイ９内のシートＳを給紙ローラ１１に向かって搬送するように構成される。給紙ローラ１１は、ピックアップローラ１０からのシートＳを感光ドラム１４Ｙに向かって搬送するように構成される。
【００１６】
１．３  ドロワユニット
図２に示すように、ドロワユニット４は、カバー２Ｂが開位置に位置する状態で、開口２Ａを介して、内部位置（図１参照）と外部位置（図２参照）との間を移動可能である。内部位置は、ドロワユニット４が本体筐体２の内にあるときの、ドロワユニット４の位置である。外部位置は、ドロワユニット４が本体筐体２の外にあるときの、ドロワユニット４の位置である。ドロワユニット４が内部位置と外部位置との間を移動する方向を、移動方向と定義する。図１に示すように、ドロワユニット４は、複数の露光ヘッド１３Ｙ、１３Ｍ、１３Ｃ、１３Ｋを備える。
【００１７】
複数の露光ヘッド１３Ｙ、１３Ｍ、１３Ｃ、１３Ｋは、移動方向において、互いに間隔を空けて並ぶ。露光ヘッド１３Ｙは、ドラムカートリッジ５Ｙがドロワユニット４に装着された状態で、感光ドラム１４Ｙに対して上方に位置する。露光ヘッド１３Ｙは、感光ドラム１４Ｙを露光するように構成される。露光ヘッド１３Ｍは、ドラムカートリッジ５Ｍがドロワユニット４に装着された状態で、感光ドラム１４Ｍに対して上方に位置する。露光ヘッド１３Ｍは、感光ドラム１４Ｍを露光するように構成される。露光ヘッド１３Ｃは、ドラムカートリッジ５Ｃがドロワユニット４に装着された状態で、感光ドラム１４Ｃに対して上方に位置する。露光ヘッド１３Ｃは、感光ドラム１４Ｃを露光するように構成される。露光ヘッド１３Ｋは、ドラムカートリッジ５Ｋがドロワユニット４に装着された状態で、感光ドラム１４Ｋに対して上方に位置する。露光ヘッド１３Ｋは、感光ドラム１４Ｋを露光するように構成される。
【００１８】
１．４  複数のドラムカートリッジ
複数のドラムカートリッジ５Ｙ、５Ｍ、５Ｃ、５Ｋのそれぞれは、ドロワユニット４が外部位置（図２参照）に位置しているときに、ドロワユニット４に装着可能である。複数のドラムカートリッジ５Ｙ、５Ｍ、５Ｃ、５Ｋは、ドロワユニット４に装着された状態で、移動方向において、互いに間隔を隔てて並ぶ。
【００１９】
ドラムカートリッジ５Ｙは、感光ドラム１４Ｙと、帯電器１５Ｙとを備える。
【００２０】
感光ドラム１４Ｙは、ドラムカートリッジ５Ｙがドロワユニット４に装着された状態で、ドロワユニット４の第１方向（図３参照）に延びる回転軸線について回転可能である。ドロワユニット４の第１方向については、後述する。感光ドラム１４Ｙは、回転軸線に沿って延びる。感光ドラム１４Ｙは、円筒形状を有する。
【００２１】
帯電器１５Ｙは、感光ドラム１４Ｙの周面を帯電するように構成される。帯電器１５Ｙが感光ドラム１４Ｙの周面を帯電した後、露光ヘッド１３Ｙが、帯電された感光ドラム１４Ｙの周面を露光することにより、感光ドラム１４Ｙの周面に静電潜像が形成される。帯電器１５Ｙは、ドラムカートリッジ５Ｙがドロワユニット４に装着された状態で、移動方向において、露光ヘッド１３Ｙに対して現像ローラ１６Ｙの反対側に位置する。現像ローラ１６Ｙについては、後で説明する。帯電器１５Ｙは、ドラムカートリッジ５Ｙがドロワユニット４に装着された状態で、感光ドラム１４Ｙの回転方向において、露光ヘッド１３Ｙに対して上流側に位置する。帯電器１５Ｙは、具体的には、帯電ローラである。なお、帯電器１５Ｙは、スコロトロン型の帯電器であってもよい。
【００２２】
なお、ドラムカートリッジ５Ｍは、感光ドラム１４Ｍと、帯電器１５Ｍとを備える。ドラムカートリッジ５Ｃは、感光ドラム１４Ｃと、帯電器１５Ｃとを備える。ドラムカートリッジ５Ｋは、感光ドラム１４Ｋと、帯電器１５Ｋとを備える。ドラムカートリッジ５Ｍ、５Ｃ、５Ｋのそれぞれは、ドラムカートリッジ５Ｙと同じ構造を有し、ドラムカートリッジ５Ｙと同様に説明される。そのため、ドラムカートリッジ５Ｍ、５Ｃ、５Ｋのそれぞれについての説明は、省略される。
【００２３】
１．５  複数の現像カートリッジ
複数の現像カートリッジ６Ｙ、６Ｍ、６Ｃ、６Ｋのそれぞれは、ドロワユニット４が外部位置（図２参照）に位置しているときに、ドロワユニット４に装着可能である。複数の現像カートリッジ６Ｙ、６Ｍ、６Ｃ、６Ｋは、ドロワユニット４に装着された状態で、移動方向において、互いに間隔を隔てて並ぶ。
【００２４】
現像カートリッジ６Ｙは、感光ドラム１４Ｙに供給されるトナーを収容可能である。現像カートリッジ６Ｙは、現像ローラ１６Ｙを備える。
【００２５】
現像ローラ１６Ｙは、現像カートリッジ６Ｙ内のトナーを感光ドラム１４Ｙに供給するように構成される。静電潜像が形成された感光ドラム１４Ｙに現像カートリッジ６Ｙ内のトナーが供給されることにより、静電潜像が現像され、感光ドラム１４Ｙの周面にトナー像が形成される。言い換えると、トナー像は、トナーが現像ローラ１６Ｙから感光ドラム１４Ｙに静電気的に移動することにより、感光ドラム１４Ｙに形成された静電潜像が現像され、感光ドラム１４Ｙの周面に形成される。現像ローラ１６Ｙの一部は、現像カートリッジ６Ｙの内部に収容される。現像ローラ１６Ｙは、ドラムカートリッジ５Ｙおよび現像カートリッジ６Ｙがドロワユニット４に装着された状態で、感光ドラム１４Ｙの回転方向において、露光ヘッド１３Ｙに対して下流側に位置する。現像ローラ１６Ｙは、ドラムカートリッジ５Ｙおよび現像カートリッジ６Ｙがドロワユニット４に装着された状態で、感光ドラム１４Ｙの周面に接触する。
【００２６】
なお、現像カートリッジ６Ｍは、感光ドラム１４Ｍに供給されるトナーを収容可能であり、現像ローラ１６Ｍを備える。現像カートリッジ６Ｃは、感光ドラム１４Ｃに供給されるトナーを収容可能であり、現像ローラ１６Ｃを備える。現像カートリッジ６Ｋは、感光ドラム１４Ｋに供給されるトナーを収容可能であり、現像ローラ１６Ｋを備える。現像カートリッジ６Ｍ、６Ｃ、６Ｋのそれぞれは、現像カートリッジ６Ｙと同じ構造を有し、現像カートリッジ６Ｙと同様に説明される。そのため、現像カートリッジ６Ｍ、６Ｃ、６Ｋのそれぞれについての説明は、省略される。
【００２７】
１．６  転写ユニット
転写ユニット７は、複数のドラムカートリッジ５Ｙ、５Ｍ、５Ｃ、５Ｋが装着されたドロワユニット４が内部位置に位置するときに、複数の感光ドラム１４Ｙ、１４Ｍ、１４Ｃ、１４Ｋの下方に位置する。転写ユニット７は、複数のドラムカートリッジ５Ｙ、５Ｍ、５Ｃ、５Ｋが装着されたドロワユニット４が内部位置に位置するときに、複数の感光ドラム１４Ｙ、１４Ｍ、１４Ｃ、１４Ｋと接触する。転写ユニット７は、給紙部３から供給されたシートＳを定着器８に向かって搬送する。転写ユニット７は、シートＳが複数の感光ドラム１４Ｙ、１４Ｍ、１４Ｃ、１４Ｋのそれぞれと接触するときに、複数の感光ドラム１４Ｙ、１４Ｍ、１４Ｃ、１４Ｋのそれぞれのトナー像をシートＳに転写する。
【００２８】
１．７  定着器
定着器８は、トナー像が転写されたシートＳを加熱および加圧して、シートＳにトナー像を定着させるように構成される。定着器８を通過したシートＳは、本体筐体２の上面に排紙される。
【００２９】
２．ドロワユニットの詳細
以下、図３から図７を参照して、ドロワユニット４について説明する。
【００３０】
図３に示すように、ドロワユニット４は、上記した複数の露光ヘッド１３Ｙ、１３Ｍ、１３Ｃ、１３Ｋに加えて、ドロワフレーム４０と、複数のフラットケーブル４２Ｙ、４２Ｍ、４２Ｃ、４２Ｋ（図６参照）と、中継基板７０（図６参照）と、カバー４３と、カバー４４、複数のカバー４５Ｙ、４５Ｍ、４５Ｃ、４５Ｋとを備える。
【００３１】
２．１  ドロワフレーム
ドロワフレーム４０には、複数のドラムカートリッジ５Ｙ、５Ｍ、５Ｃ、５Ｋと、複数の現像カートリッジ６Ｙ、６Ｍ、６Ｃ、６Ｋとが装着可能である。
【００３２】
ドロワフレーム４０は、サイドフレーム４１Ａ、４１Ｂと、突出部４７とを備える。サイドフレーム４１Ｂは、第１方向において、サイドフレーム４１Ａに対して間隔を空けて位置する。複数の露光ヘッド１３Ｙ、１３Ｍ、１３Ｃ、１３Ｋは、第１方向において、サイドフレーム４１Ａとサイドフレーム４１Ｂとの間に位置する。第１方向は、移動方向および上下方向と交差する。複数の露光ヘッド１３Ｙ、１３Ｍ、１３Ｃ、１３Ｋは、サイドフレーム４１Ａとサイドフレーム４１Ｂとによって支持される。すなわち、複数の露光ヘッド１３Ｙ、１３Ｍ、１３Ｃ、１３Ｋは、ドロワフレーム４０に支持される。複数のドラムカートリッジ５Ｙ、５Ｍ、５Ｃ、５Ｋ、および、複数の現像カートリッジ６Ｙ、６Ｍ、６Ｃ、６Ｋは、ドロワユニット４に装着された状態で、サイドフレーム４１Ａとサイドフレーム４１Ｂとの間に位置する。サイドフレーム４１Ａおよびサイドフレーム４１Ｂのそれぞれは、移動方向に延びる。サイドフレーム４１Ａおよびサイドフレーム４１Ｂのそれぞれは、平板形状を有する。サイドフレーム４１Ａおよびサイドフレーム４１Ｂのそれぞれは、絶縁性の樹脂からなる。
【００３３】
サイドフレーム４１Ａは、図４に示すように、複数のドラム穴４８Ｙ、４８Ｍ、４８Ｃ、４８Ｋと、複数の現像穴４９Ｙ、４９Ｍ、４９Ｃ、４９Ｋと、複数のスリット５１Ｙ、５１Ｍ、５１Ｃ、５１Ｋとを有する。すなわち、ドロワフレーム４０は、ドラム穴４８Ｙと、スリット５１Ｙとを有する。
【００３４】
２．１．１  複数のドラム穴
複数のドラム穴４８Ｙ、４８Ｍ、４８Ｃ、４８Ｋは、突出部４７の下方に位置する。複数のドラム穴４８Ｙ、４８Ｍ、４８Ｃ、４８Ｋは、移動方向に並ぶ。複数のドラム穴４８Ｙ、４８Ｍ、４８Ｃ、４８Ｋのそれぞれは、円形の貫通穴である。
【００３５】
ドラム穴４８Ｙは、ドラムカートリッジ５Ｙがドロワユニット４に装着された状態でドラムカートリッジ５Ｙのドラムカップリング６１Ｙを露出する。ドラムカップリング６１Ｙは、図５Ａに示すように、感光ドラム１４Ｙの端部に設けられる。すなわち、感光ドラム１４Ｙは、ドラムカップリング６１Ｙを有する。ドラムカップリング６１Ｙは、感光ドラム１４Ｙとともに回転可能である。ドラムカップリング６１Ｙには、ドラムカートリッジ５Ｙが装着されたドロワユニット４が内部位置に位置するときに、本体筐体２内に設けられるドラムカップリングが、ドラム穴４８Ｙ（図４参照）を通って嵌まる。本体側のドラムカップリングは、図示されていない。ドラムカップリング６１Ｙに本体側のドラムカップリングが嵌まることにより、ドラムカップリング６１Ｙと、本体側のドラムカップリングとは、ともに回転可能となる。これにより、ドラムカップリング６１Ｙは、本体側のドラムカップリングから、駆動力を受けることができる。
【００３６】
なお、ドラムカートリッジ５Ｍの感光ドラム１４Ｍは、駆動力を受けることができるドラムカップリング６１Ｍを有し、ドラムカートリッジ５Ｃの感光ドラム１４Ｃは、駆動力を受けることができるドラムカップリング６１Ｃを有し、ドラムカートリッジ５Ｋの感光ドラム１４Ｋは、駆動力を受けることができるドラムカップリング６１Ｋを有する。図４に示すように、ドラム穴４８Ｍは、ドラムカートリッジ５Ｍがドロワユニット４に装着された状態でドラムカップリング６１Ｍを露出し、ドラム穴４８Ｃは、ドラムカートリッジ５Ｃがドロワユニット４に装着された状態でドラムカップリング６１Ｃを露出し、ドラム穴４８Ｋは、ドラムカートリッジ５Ｋがドロワユニット４に装着された状態でドラムカップリング６１Ｋを露出する。ドラムカップリング６１Ｍ、６１Ｃ、６１Ｋのそれぞれは、ドラムカップリング６１Ｙと同様に説明され、ドラム穴４８Ｍ、４８Ｃ、４８Ｋのそれぞれは、ドラム穴４８Ｙと同様に説明される。そのため、ドラムカップリング６１Ｍ、６１Ｃ、６１Ｋのそれぞれ、および、ドラム穴４８Ｍ、４８Ｃ、４８Ｋのそれぞれについての説明は、省略される。
【００３７】
２．１．２  複数の現像穴
図４に示すように、複数の現像穴４９Ｙ、４９Ｍ、４９Ｃ、４９Ｋは、上下方向において、突出部４７と、複数のドラム穴４８Ｙ、４８Ｍ、４８Ｃ、４８Ｋとの間に位置する。複数の現像穴４９Ｙ、４９Ｍ、４９Ｃ、４９Ｋは、移動方向に並ぶ。複数の現像穴４９Ｙ、４９Ｍ、４９Ｃ、４９Ｋのそれぞれは、略円形の貫通穴である。
【００３８】
現像穴４９Ｙは、現像カートリッジ６Ｙがドロワユニット４に装着された状態で現像カートリッジ６Ｙの現像カップリング６２Ｙを露出する。
【００３９】
現像カップリング６２Ｙは、図５Ｂに示すように、現像カートリッジ６Ｙの側面に設けられる。すなわち、現像カートリッジ６Ｙは、現像カップリング６２Ｙを有する。現像カップリング６２Ｙには、現像カートリッジ６Ｙが装着されたドロワユニット４が内部位置に位置するときに、本体筐体２内に設けられる現像カップリングが、現像穴４９Ｙ（図４参照）を通って嵌まる。本体側の現像カップリングは、図示されていない。現像カップリング６２Ｙに本体側の現像カップリングが嵌まることにより、現像カップリング６２Ｙと、本体側の現像カップリングとは、ともに回転可能となる。これにより、現像カップリング６２Ｙは、本体側の現像カップリングから、駆動力を受けることができる。
【００４０】
なお、現像カートリッジ６Ｍは、駆動力を受けることができる現像カップリング６２Ｍを有し、現像カートリッジ６Ｃは、駆動力を受けることができる現像カップリング６２Ｃを有し、現像カートリッジ６Ｋは、駆動力を受けることができる現像カップリング６２Ｋを有する。図４に示すように、現像穴４９Ｍは、現像カートリッジ６Ｍがドロワユニット４に装着された状態で現像カップリング６２Ｍを露出し、現像穴４９Ｃは、現像カートリッジ６Ｃがドロワユニット４に装着された状態で現像カップリング６２Ｃを露出し、現像穴４９Ｋは、現像カートリッジ６Ｋがドロワユニット４に装着された状態で現像カップリング６２Ｋを露出する。現像カップリング６２Ｍ、６２Ｃ、６２Ｋのそれぞれは、現像カップリング６２Ｙと同様に説明され、現像穴４９Ｍ、４９Ｃ、４９Ｋのそれぞれは、現像穴４９Ｙと同様に説明される。そのため、現像カップリング６２Ｍ、６２Ｃ、６２Ｋのそれぞれ、および、現像穴４９Ｍ、４９Ｃ、４９Ｋのそれぞれについての説明は、省略される。
【００４１】
２．１．３  複数のスリット
複数のスリット５１Ｙ、５１Ｍ、５１Ｃ、５１Ｋは、移動方向に並ぶ。複数のスリット５１Ｙ、５１Ｍ、５１Ｃ、５１Ｋのそれぞれは、上下方向に延びる。複数のスリット５１Ｙ、５１Ｍ、５１Ｃ、５１Ｋのそれぞれは、上下方向に長い長方形の貫通穴である。
【００４２】
スリット５１Ｙには、フラットケーブル４２Ｙ（図６参照）が通る。フラットケーブル４２Ｙがスリット５１Ｙを通ることにより、フラットケーブル４２Ｙがサイドフレーム４１Ａの上を乗り越える場合と比べて、上下方向におけるドロワユニット４の小型化を図ることができる。スリット５１Ｙは、ドラム穴４８Ｙに対して上方に位置する。これにより、スリット５１Ｙを通るフラットケーブル４２Ｙは、本体側のドラムカップリングが、ドラム穴４８Ｙを通ってドラムカップリング６１Ｙに嵌まることを妨げない。また、スリット５１Ｙは、現像穴４９Ｙよりも上方に位置する。これにより、スリット５１Ｙを通るフラットケーブル４２Ｙは、本体側の現像カップリングが、現像穴４９Ｙを通って現像カップリング６２Ｙに嵌まることを妨げない。また、スリット５１Ｙは、移動方向において、現像穴４９Ｙと現像穴４９Ｍとの間に位置する。
【００４３】
スリット５１Ｍには、フラットケーブル４２Ｍ（図６参照）が通る。スリット５１Ｍは、ドラム穴４８Ｍに対して上方に位置する。スリット５１Ｍは、現像穴４９Ｍよりも上方に位置する。また、スリット５１Ｍは、移動方向において、現像穴４９Ｍと現像穴４９Ｃとの間に位置する。
【００４４】
スリット５１Ｃには、フラットケーブル４２Ｃ（図６参照）が通る。スリット５１Ｃは、ドラム穴４８Ｃに対して上方に位置する。スリット５１Ｃは、現像穴４９Ｃよりも上方に位置する。また、スリット５１Ｃは、移動方向において、現像穴４９Ｃと現像穴４９Ｋとの間に位置する。
【００４５】
スリット５１Ｋには、フラットケーブル４２Ｋ（図６参照）が通る。スリット５１Ｋは、ドラム穴４８Ｋに対して上方に位置する。スリット５１Ｋは、現像穴４９Ｋよりも上方に位置する。また、スリット５１Ｋは、移動方向において、現像穴４９Ｋに対して現像穴４９Ｃの反対側に位置する。
【００４６】
２．１．４  突出部
図３に示すように、突出部４７は、複数のフラットケーブル４２Ｙ、４２Ｍ、４２Ｃ、４２Ｋ（図６参照）を支持する。突出部４７は、複数の現像穴４９Ｙ、４９Ｍ、４９Ｃ、４９Ｋよりも上方に位置する。突出部４７は、複数のスリット５１Ｙ、５１Ｍ、５１Ｃ、５１Ｋの下方に位置する。すなわち、突出部４７は、現像カートリッジ６Ｙがドロワユニット４に装着された状態で、上下方向において、複数の現像カップリング６２Ｙ、６２Ｍ、６２Ｃ、６２Ｋと、スリット５１Ｙ、５１Ｍ、５１Ｃ、５１Ｋとの間に位置する。突出部４７は、ドロワフレーム４０から第１方向に突出する。突出部４７は、サイドフレーム４１Ａから第１方向に突出する。突出部４７は、移動方向に延びる。突出部４７は、平板形状を有する。突出部４７は、第１方向において、複数のフラットケーブル４２Ｙ、４２Ｍ、４２Ｃ、４２Ｋの幅よりも広い幅を有する。突出部４７は、ガイド４７Ａを有する。
【００４７】
ガイド４７Ａは、突出部４７に対する複数のフラットケーブル４２Ｙ、４２Ｍ、４２Ｃ、４２Ｋの配置を案内する。ガイド４７Ａは、リブである。ガイド４７Ａは、突出部４７の上面から上方へ突出する。ガイド４７Ａは、移動方向に延びる。ガイド４７Ａは、第１方向において、複数のフラットケーブル４２Ｙ、４２Ｍ、４２Ｃ、４２Ｋに対して、サイドフレーム４１Ａの反対側に位置する。すなわち、複数のフラットケーブル４２Ｙ、４２Ｍ、４２Ｃ、４２Ｋは、第１方向において、サイドフレーム４１Ａとガイド４７Ａとの間に位置する。これにより、ガイド４７Ａは、突出部４７に対する複数のフラットケーブル４２Ｙ、４２Ｍ、４２Ｃ、４２Ｋの配置を案内する。これにより、作業者は、複数のフラットケーブル４２Ｙ、４２Ｍ、４２Ｃ、４２Ｋを配置すべき場所を、視認しやすい。
【００４８】
なお、突出部４７は、ドロワユニット４が内部位置と外部位置との間を移動するときに、本体筐体２の一部に接触することにより、ドロワユニット４の移動を案内する。これにより、突出部４７は、複数のフラットケーブル４２Ｙ、４２Ｍ、４２Ｃ、４２Ｋの案内と、ドロワユニット４の移動の案内とを、一部品で行える。このため、部品点数を削減することができる。詳しくは、突出部４７は、ドロワユニット４が内部位置と外部位置との間を移動するときに、本体筐体２内に設けられる車輪１００（図４参照）に接触することにより、ドロワユニット４の移動を案内する。車輪１００は、突出部４７の下面に接触する。これにより、突出部４７は、突出部４７の上面で、複数のフラットケーブル４２Ｙ、４２Ｍ、４２Ｃ、４２Ｋを案内し、突出部４７の下面で、ドロワユニット４の移動を案内する。このため、複数のフラットケーブル４２Ｙ、４２Ｍ、４２Ｃ、４２Ｋが車輪１００（図４参照）と接触することを防止することができる。
【００４９】
２．２  フラットケーブルおよび中継基板
図６に示すように、複数のフラットケーブル４２Ｙ、４２Ｍ、４２Ｃ、４２Ｋは、突出部４７に支持される。
【００５０】
詳しくは、フラットケーブル４２Ｙの一端は、図７に示すように、露光ヘッド１３Ｙに電気的に接続される。フラットケーブル４２Ｙは、露光ヘッド１３Ｙに電気信号を伝える。フラットケーブル４２Ｙは、図６に示すように、スリット５１Ｙを通り、移動方向において突出部４７に沿って延びる。フラットケーブル４２Ｙは、突出部４７の上面に接触する。フラットケーブル４２Ｙは、突出部４７の上面に沿って延びる。フラットケーブル４２Ｙの他端は、中継基板７０に電気的に接続される。
【００５１】
フラットケーブル４２Ｍの一端は、露光ヘッド１３Ｍに電気的に接続される。フラットケーブル４２Ｍは、露光ヘッド１３Ｍに電気信号を伝える。フラットケーブル４２Ｍは、スリット５１Ｍを通り、移動方向において突出部４７に沿って延びる。フラットケーブル４２Ｍは、フラットケーブル４２Ｙの上に重なる。フラットケーブル４２Ｙの他端は、中継基板７０（図６参照）に電気的に接続される。
【００５２】
フラットケーブル４２Ｃの一端は、露光ヘッド１３Ｃに電気的に接続される。フラットケーブル４２Ｃは、露光ヘッド１３Ｃに電気信号を伝える。フラットケーブル４２Ｃは、スリット５１Ｃを通り、移動方向において突出部４７に沿って延びる。フラットケーブル４２Ｃは、フラットケーブル４２Ｍの上に重なる。フラットケーブル４２Ｃの他端は、中継基板７０（図６参照）に電気的に接続される。
【００５３】
フラットケーブル４２Ｋの一端は、露光ヘッド１３Ｋに電気的に接続される。フラットケーブル４２Ｋは、露光ヘッド１３Ｋに電気信号を伝える。フラットケーブル４２Ｋは、スリット５１Ｋを通り、移動方向において突出部４７に沿って延びる。フラットケーブル４２Ｋは、フラットケーブル４２Ｃの上に重なる。フラットケーブル４２Ｋの他端は、中継基板７０（図６参照）に電気的に接続される。
【００５４】
図６に示す中継基板７０は、本体筐体２内に設けられる本体ケーブルに電気的に接続される。なお、本体ケーブルは、図示されていない。中継基板７０は、フラットケーブル４２Ｙ、４２Ｍ、４２Ｃ、４２Ｋと、本体筐体２内に設けられる本体ケーブルとの電気的接続を中継する。中継基板７０は、ドロワフレーム４０に取り付けられる。詳しくは、ドロワフレーム４０は、移動方向において、一端と他端とを有する。一端は、移動方向において、他端と定着器８（図１参照）との間に位置する。中継基板７０は、ドロワフレーム４０の一端に取り付けられる。
【００５５】
２．３  カバー
図３および図６に示すように、カバー４３は、フラットケーブル４２Ｙ、４２Ｍ、４２Ｃ、４２Ｋを覆う。これにより、複数のドラムカートリッジ５Ｙ、５Ｍ、５Ｃ、５Ｋおよび複数の現像カートリッジ６Ｙ、６Ｍ、６Ｃ、６Ｋなどからフラットケーブル４２Ｙ、４２Ｍ、４２Ｃ、４２Ｋを保護できる。カバー４３は、第１方向において、フラットケーブル４２Ｙ、４２Ｍ、４２Ｃ、４２Ｋに対してサイドフレーム４１Ａの反対側に位置する。カバー４３は、突出部４７に取り付けられる。
【００５６】
また、カバー４３は、金属製である。これにより、フラットケーブル４２Ｙ、４２Ｍ、４２Ｃ、４２Ｋの周りに静電気が蓄積されること、および、フラットケーブル４２Ｙ、４２Ｍ、４２Ｃ、４２Ｋのそれぞれによって伝えられる電気信号にノイズが混じることを抑制できる。
【００５７】
カバー４４は、中継基板７０と、複数のフラットケーブル４２Ｙ、４２Ｍ、４２Ｃ、４２Ｋのそれぞれの他端とを覆う。カバー４４は、金属製である。カバー４４は、ドロワフレーム４０の一端に取り付けられる。
【００５８】
複数のカバー４５Ｙ、４５Ｍ、４５Ｃ、４５Ｋは、サイドフレーム４１Ａに設けられる。
【００５９】
カバー４５Ｙは、フラットケーブル４２Ｙの一端を覆う。すなわち、カバー４５Ｙは、フラットケーブル４２Ｙの一部を覆う。これにより、ドロワユニット４にドラムカートリッジ５Ｙや現像カートリッジ６Ｙが装着されるときに、ドラムカートリッジ５Ｙや現像カートリッジ６Ｙがフラットケーブル４２Ｙに接触することを防止でき、フラットケーブル４２Ｙを保護することができる。カバー４５Ｙは、第１方向において、サイドフレーム４１Ａとサイドフレーム４１Ｂとの間に位置する。カバー４５Ｙは、第１方向において、サイドフレーム４１Ａからサイドフレーム４１Ｂに向かって延びる。詳しくは、図７に示すように、カバー４５Ｙは、第１部分７１Ａと、第２部分７１Ｂと、第３部分７１Ｃとを有する。カバー４５Ｙは、第１部分７１Ａと、第２部分７１Ｂと、第３部分７１Ｃとからなる。
【００６０】
第１部分７１Ａは、サイドフレーム４１Ａから延びる。第１部分７１Ａは、スリット５１Ｙの周縁部から延びる。第１部分７１Ａは、サイドフレーム４１Ａから取り外すことができない。第１部分７１Ａは、第１方向に延びる。
【００６１】
第２部分７１Ｂは、第１方向において、第１部分７１Ａとサイドフレーム４１Ｂ（図３参照）との間に位置する。第２部分７１Ｂは、平板形状を有する。第２部分７１Ｂは、第１方向および上下方向に延びる。第２部分７１Ｂは、第１方向において、第１部分７１Ａに近い一端と、第１部分７１Ａから離れた他端とを有する。第２部分７１Ｂは、複数の溝７２Ａ、７２Ｂ、７２Ｃと、溝７２Ｄとを有する。溝７２Ａは、第２部分７１Ｂの上端部に位置する。溝７２Ｂは、第２部分７１Ｂの下端部に位置する。溝７２Ｃは、第１方向において、第２部分７１Ｂの他端に位置する。溝７２Ｄは、フラットケーブル４２Ｙの一端を収容する。溝７２Ｄは、移動方向において、第３部分７１Ｃから離れる方向に凹む。第２部分７１Ｂは、サイドフレーム４１Ａから取り外し可能である。すなわち、カバー４５Ｙの少なくとも一部は、サイドフレーム４１Ａから取り外し可能である。
【００６２】
第３部分７１Ｃは、第１方向において、第１部分７１Ａとサイドフレーム４１Ｂ（図３参照）との間に位置する。第３部分７１Ｃは、移動方向において、フラットケーブル４２Ｙの一端に対して第２部分７１Ｂの反対側に位置する。第３部分７１Ｃは、平板形状を有する。第３部分７１Ｃは、第１方向および上下方向に延びる。第３部分７１Ｃは、第１方向において、第１部分７１Ａに近い一端と、第１部分７１Ａから離れた他端とを有する。第３部分７１Ｃは、複数の爪７３Ａ、７３Ｂ、７３Ｃを有する。爪７３Ａは、第３部分７１Ｃの上端部に位置する。爪７３Ｂは、第３部分７１Ｃの下端部に位置する。爪７３Ｃは、第１方向において、第３部分７１Ｃの他端に位置する。爪７３Ａが溝７２Ａに嵌まり、爪７３Ｂが溝７２Ｂに嵌まり、爪７３Ｃが溝７２Ｃに嵌まることにより、第３部分７１Ｃは、第２部分７１Ｂと係合する。第３部分７１Ｃは、サイドフレーム４１Ａから取り外し可能である。
【００６３】
なお、図６に示すカバー４５Ｍは、フラットケーブル４２Ｍの一端を覆う。すなわち、カバー４５Ｍは、フラットケーブル４２Ｍの一部を覆う。カバー４５Ｃは、フラットケーブル４２Ｃの一端を覆う。すなわち、カバー４５Ｃは、フラットケーブル４２Ｃの一部を覆う。カバー４５Ｋは、フラットケーブル４２Ｋの一端を覆う。すなわち、カバー４５Ｋは、フラットケーブル４２Ｋの一部を覆う。カバー４５Ｍ、４５Ｃ、４５Ｋのそれぞれは、カバー４５Ｙと同じ構造を有し、カバー４５Ｙと同様に説明される。そのため、カバー４５Ｍ、４５Ｃ、４５Ｋのそれぞれの説明は、省略される。すなわち、カバー４５Ｍ、４５Ｃ、４５Ｋのそれぞれは、第１方向において、サイドフレーム４１Ａからサイドフレーム４１Ｂに向かって延びる。カバー４５Ｍ、４５Ｃ、４５Ｋのそれぞれの少なくとも一部は、サイドフレーム４１Ａから取り外し可能である。
【００６４】
３．作用効果
画像形成装置１によれば、図８に示すように、ドロワフレーム４０から突出し、移動方向に延びる突出部４７を利用して、フラットケーブル４２Ｙを効率よく配置できる。
【００６５】
さらに、フラットケーブル４２Ｙの上に複数のフラットケーブル４２Ｍ、４２Ｃ、４２Ｋをまとめて重ねることにより、突出部４７を利用して、複数のフラットケーブル４２Ｙ、４２Ｍ、４２Ｃ、４２Ｋを効率よく配置できる。
【００６６】
４．変形例
上記したドロワユニット４は、フラットケーブル４２Ｙとフラットケーブル４２Ｍとの間に位置する金属製のシートを備えてもよい。これにより、フラットケーブル４２Ｙの電気信号、および、フラットケーブル４２Ｍの電気信号にノイズが混じることを抑制できる。なお、ドロワフレーム４０は、フラットケーブル４２Ｍとフラットケーブル４２Ｃとの間に位置する金属製のシートを備えてもよく、フラットケーブル４２Ｃとフラットケーブル４２Ｋとの間に位置する金属製のシートを備えてもよい。
【００６７】
また、突出部４７の位置は、適宜、変更可能である。例えば、突出部４７は、現像カートリッジ６Ｙがドロワユニット４に装着された状態で、上下方向において、複数の現像カップリング６２Ｙ、６２Ｍ、６２Ｃ、６２Ｋと、複数のドラム穴４８Ｙ、４８Ｍ、４８Ｃ、４８Ｋとの間に位置してもよい。
【００６８】
また、突出部４７は、スリット５１Ｙの上方に位置してもよい。この場合、図８Ａおよび図８Ｂに示すように、複数のフラットケーブル４２Ｙ、４２Ｍ、４２Ｃ、４２Ｋは、突出部４７の下面に沿って延びてもよい。また、図８Ａに示すように、複数のフラットケーブル４２Ｙ、４２Ｍ、４２Ｃ、４２Ｋは、第１方向において、突出部４７のうちの本体筐体２の一部に接触する部分４７Ｂと、ドロワフレーム４０との間に位置してもよい。これにより、複数のフラットケーブル４２Ｙ、４２Ｍ、４２Ｃ、４２Ｋが突出部４７の下面に沿って延びる場合でも、複数のフラットケーブル４２Ｙ、４２Ｍ、４２Ｃ、４２Ｋが車輪１００（図４参照）と接触することを防止できる。
【００６９】
また、図８Ｂに示すように、複数のフラットケーブル４２Ｙ、４２Ｍ、４２Ｃ、４２Ｋは、第１方向において、突出部４７のうちの本体筐体２の一部に接触する部分４７Ｂに対して、ドロワフレーム４０の反対側に位置してもよい。
【００７０】
また、現像ローラ１６Ｙは、ドラムカートリッジ５Ｙおよび現像カートリッジ６Ｙがドロワユニット４に装着された状態で、感光ドラム１４Ｙの周面と間隔を空けてもよい。この場合、いわゆるジャンピング現像方式により、現像ローラ１６Ｙから感光ドラム１４Ｙへトナーを静電気的に供給する。
【符号の説明】
【００７１】
１      画像形成装置
２      本体筐体
４      ドロワユニット
５Ｙ    ドラムカートリッジ
６Ｙ    現像カートリッジ
１３Ｙ  露光ヘッド
４０    ドロワフレーム
４２Ｙ  フラットケーブル
４３    カバー
５１Ｙ  スリット
６２Ｙ  現像カップリング
【図１】
2019101178.tif 000003
【図２】
2019101178.tif 000004
【図３】
2019101178.tif 000005
【図４】
2019101178.tif 000006
【図５】
2019101178.tif 000007
【図６】
2019101178.tif 000008
【図７】
2019101178.tif 000009
【図８】
2019101178.tif 000010